(57)【要約】  手乾燥装置は、外郭をなす箱体と、前記箱体の側面と上面または正面を開口した手挿入部と、前記手挿入部の手前側内面と奥側内面に７０ｍｍ〜９０ｍｍの間隔で配置されたノズルと、前記ノズルに空気流を供給する空気流発生部を備え、前記ノズルから噴出される空気流の最大空気出力が５００Ｗ以下、前記手挿入部の側面と上面または正面の開口面積が５５０００ｍｍ２以上ある。
2012035604.tif 000002
【特許請求の範囲】
【請求項１】
外郭をなす箱体と、
前記箱体の一主面から前記箱体の両側面に渡って形成された開口と、第１の内壁面と、前記第１の内壁面に対向する第２の内壁面とを有し、前記開口から前記第１の内壁面と前記第２の内壁面との間に手が挿入される手挿入部と、
前記第１の内壁面に配され、前記第２の内壁面に向かって空気流を噴出させる第１のノズルと、
前記第２の内壁面に配され、前記第１の内壁面に向かって空気流を噴出させる第２のノズルと、
前記第１のノズル及び前記第２のノズルのそれぞれに空気流を供給する空気流発生部と、
を備え、
前記第１のノズルと前記第２のノズルとの間隔は、７０ｍｍ以上９０ｍｍ以下であり、
前記第１のノズルと前記第２のノズルとのそれぞれから噴出される空気流の最大出力は、５００Ｗ以下であり、
前記開口の面積は、５５０００ｍｍ２以上である
ことを特徴とする手乾燥装置。
【請求項２】
前記第１のノズルと前記第２のノズルとのそれぞれは、スリットを有し、
前記スリットのギャップは、０．３ｍｍ以上４ｍｍ以下である
ことを特徴とした請求項１に記載の手乾燥装置。
【請求項３】
前記第１のノズルと前記第２のノズルとのそれぞれは、複数の穴を有し、
前記複数の穴のそれぞれの直径は、１ｍｍ以上５ｍｍ以下である
ことを特徴とした請求項１に記載の手乾燥装置。
【請求項４】
前記第１のノズルと前記第２のノズルとのそれぞれの出口静圧は、略５．７ｋＰａであり、
前記ノズルから噴出される空気流の流量は、略０．０８７７ｍ３／ｓである
ことを特徴とした請求項１に記載の手乾燥装置。
【請求項５】
前記第１の内壁面と前記第２の内壁面との最大距離は、１２０ｍｍ以上である
ことを特徴とした請求項１に記載の手乾燥装置。
【請求項６】
前記手挿入部は、前記箱体の一主面の反対側において前記第１の内壁面と前記第２の内壁面とを接続する底面をさらに有し、
前記開口における前記箱体の一主面に形成された部分と、前記底面との距離は、２００ｍｍ以上である
ことを特徴とした請求項１に記載の手乾燥装置。
【発明の詳細な説明】
【技術分野】
【０００１】
本発明は、手乾燥装置に関する。
【背景技術】
【０００２】
洗浄後の濡れた手を乾燥させる手乾燥装置として、鉛直断面が概Ｕ形状または概Ｃ形状の壁で囲まれた乾燥処理室に手を挿入し、手に付着した水滴を高圧空気流（高速空気流）により吹き飛ばし乾燥させる装置がある。【０００３】
特許文献１には、手乾燥装置において、箱体の正面及び側面を開口して挿通自在に設けられた手挿入部が、その入口部より大きな空間の奥部を有することが記載されている。これにより、特許文献１によれば、手挿入部の上下面部に各々配設された吹出ノズルから吹き出た高速空気が手挿入部の奥部に当たってその圧力が低減され、吹出ノズルから吹出される風速が増すので、手の乾燥時間を短縮できるとされている。
【先行技術文献】
【特許文献】
【０００４】
【特許文献１】特開平６−６２９７９号公報
【発明の概要】
【発明が解決しようとする課題】
【０００５】
手乾燥装置では、ノズルから噴出される高圧空気流（高速空気流）の空気出力（ノズル静圧Ｐａと流量ｍ３／ｓの積）が大きいほど手の甲と平に付着した水滴を吹飛ばす能力が高くなるが、一方で、ノズルから噴出される高圧空気流（高速空気流）の空気出力が大きくなりすぎると、水滴が手挿入部の外に飛散してしまう傾向にあり、このことは衛生上好ましくない。更に、手挿入部の上面または正面及び側面の開口面積が小さいと、ノズルから噴出される高圧空気流（高速空気流）が手挿入部外に排出され難くなり、手挿入部内で流れが乱れることにより、手から吹飛んで手挿入部内面に付着した水滴を巻き上げて手に再付着させてしまう傾向にあり、このことも衛生上好ましくない。このように、手乾燥装置では、水滴が手挿入部の外に飛散することを低減しつつ、水滴が手に再付着しにくくする必要がある。【０００６】
そこで、本発明者は、このような手乾燥装置において、水滴飛散と水滴の手への再付着を防止できるノズルから噴出される高圧空気流（高速空気流）の空気出力の上限値と、その値に対応する手挿入部の上面または正面及び側面の開口面積の最小値が存在するはずだと考えた。【０００７】
特許文献１には、手に付着した水滴を吹き飛ばした後にその水滴が手に再付着することに関連した記載がない。すなわち、特許文献１には、水滴が手挿入部の外に飛散することを低減しつつ、水滴が手に再付着することを低減するにはどのようにしたらいいのかについて一切記載がない。また、特許文献１には、具体的な空気出力の上限値と手挿入部の開口面積の最小値とについての記載はない。【０００８】
本発明は、上記に鑑みてなされたものであって、水滴が手挿入部の外に飛散することを低減できるとともに、水滴が手に再付着することを低減できる手乾燥装置を得ることを目的とする。
【課題を解決するための手段】
【０００９】
上述した課題を解決し、目的を達成するために、本発明の１つの側面にかかる手乾燥装置は、外郭をなす箱体と、前記箱体の一主面から前記箱体の両側面に渡って形成された開口と、第１の内壁面と、前記第１の内壁面に対向する第２の内壁面とを有し、前記開口から前記第１の内壁面と前記第２の内壁面との間に手が挿入される手挿入部と、前記第１の内壁面に配され、前記第２の内壁面に向かって空気流を噴出させる第１のノズルと、前記第２の内壁面に配され、前記第１の内壁面に向かって空気流を噴出させる第２のノズルと、前記第１のノズル及び前記第２のノズルのそれぞれに空気流を供給する空気流発生部とを備え、前記第１のノズルと前記第２のノズルとの間隔は、７０ｍｍ以上９０ｍｍ以下であり、前記第１のノズルと前記第２のノズルとのそれぞれから噴出される空気流の最大出力は、５００Ｗ以下であり、前記開口の面積は、５５０００ｍｍ２以上であることを特徴とする。
【発明の効果】
【００１０】
本発明によれば、ノズルから噴出される空気流の最大出力が５００Ｗ以下であるので、手を手挿入部に挿入した際に、水滴が手挿入部の外に飛散しにくい。また、手挿入部の開口の面積が５５０００ｍｍ２以上であるので、手を手挿入部に挿入した際に、手に付着した水滴を吹き飛ばした後にその水滴が手に再付着しにくい。これにより、水滴が手挿入部の外に飛散することを低減できるとともに、水滴が手に再付着することを低減できる。
【図面の簡単な説明】
【００１１】
【図１】図１は、実施の形態にかかる手乾燥装置の構成を示す図である。
【図２】図２は、実施の形態における手挿入部を示す図である。
【図３】図３は、実施の形態におけるノズルを示す図である。
【図４】図４は、空気出力と水滴飛散距離の関係を示す図である。
【図５】図５は、手挿入部における開口の面積と水滴の再付着とを示す図である。
【発明を実施するための形態】
【００１２】
以下に、本発明にかかる手乾燥装置の実施の形態を図面に基づいて詳細に説明する。なお、この実施の形態によりこの発明が限定されるものではない。
【００１３】
実施の形態．
実施の形態にかかる手乾燥装置１００について図１を用いて説明する。図１は、実施の形態にかかる手乾燥装置１００の側面断面図である。図１において、実線の矢印は気流の流れを示し、点線の矢印は手から排除された水滴の流れを示す。
【００１４】
手乾燥装置１００は、本体箱体１、手挿入部２、送風機（空気流発生部）３、ノズル（第１のノズル）７ｂ、ノズル（第２のノズル）７ａ、手検知センサ８、手検知センサ１１、及び制御部３０を備える。
【００１５】
本体箱体１は、手乾燥装置１００の外郭を成し、手乾燥装置１００の前面１００ａ、背面１００ｂ、及び底面１００ｃ等から成る。前面１００ａは、手乾燥装置１００における使用者が使用時に向き合う面である。背面１００ｂは、前面１００ａと反対側の面である。底面１００ｃは、前面１００ａ及び背面１００ｂに隣接した面であって、手乾燥装置１００における使用者の手が挿入される側と反対側の面である。
【００１６】
手挿入部２は、本体箱体１の内側の上部に設けられている。手挿入部２は、本体箱体１の上面と両側面とに開放しており、使用者が手を自在に挿抜できるように設けられている概Ｕ形状の壁の部分により形成された空間である。
【００１７】
具体的には、手挿入部２は、開口２ｃ（図２参照）、内壁面（第１の内壁面）２ｂ、内壁面（第２の内壁面）２ａ、底面２ｎ、及び側壁２ｋを有する。
【００１８】
開口２ｃは、本体箱体１の上面（一主面）から本体箱体１の両側面に渡って形成されている。すなわち、開口２ｃは、本体箱体１の上面に形成された上面開口２ｃ１と、上面開口２ｃ１の両側端から本体箱体１の底面１００ｃへ向かってそれぞれ延びた２つの側面開口２ｃ２とを含む（図２参照）。上面開口２ｃ１は、手が挿入されるための開口であり、手挿入部２における開口の間口が最も狭くなっている位置にある。
【００１９】
内壁面２ｂは、手挿入部２における背面１００ｂに近い側の内壁面であり、内壁面２ａに対向している。内壁面２ａは、手挿入部２における前面１００ａに近い側の内壁面であり、内壁面２ｂに対向している。内壁面２ａと内壁面２ｂとは底面１００ｃに近づくにつれてそれぞれ前面１００ａと背面１００ｂとに近くなるように一度傾斜したのち、内壁面２ａが前面１００ａに沿いながら底面１００ｃに近づくとともに内壁面２ｂがなおも底面１００ｃに近づくにつれて背面１００ｂとに近くなるように傾斜して延びている。これにより、手挿入部内の最大幅２ｊ（図２参照）、内壁面２ｂと内壁面２ａとの最大距離が１２０ｍｍ以上となっている。その後、内壁面２ａと内壁面２ｂとは底面１００ｃに近づくにつれて互いに徐々に近づきながら底面２ｎまで延びている。底面２ｎは、本体箱体１の上面と反対側において内壁面２ｂと内壁面２ａとを接続している。側壁２ｋは、内壁面２ａと内壁面２ｂと底面２ｎとから側面開口２ｃ２へ向かうように立ち上がった壁であり、内壁面２ａ、内壁面２ｂ、又は底面２ｎに付着した水滴が手挿入部２の側面開口２ｃ２から外に飛び出さないようにブロックしている。
【００２０】
また、手挿入部２の内側におけるノズル７ａとノズル７ｂとを結ぶ直線、つまり、ノズル間距離２ｈ（図２参照）は、手が手挿入部２の内壁面２ａと内壁面２ｂとに触れ難くいように７０ｍｍ以上９０ｍｍ以下となっている。仮に、ノズル間距離２ｈが７０ｍｍより小さいと、手が手挿入部２に挿入された際に内壁面２ａや内壁面２ｂに手が触れてしまい水洗いした手が不衛生となってしまう傾向にある。あるいは、仮に、ノズル間距離２ｈが９０ｍｍより大きいと、手が手挿入部２に挿入された際に手の甲側と手の平側との少なくとも一方がノズルから離れすぎて手に付着した水滴を吹き飛ばすことが困難になる。
【００２１】
更に、手挿入部２の内側におけるノズル７ａとノズル７ｂとによって定まるノズル間面２ｆ（図２参照）と、手挿入部２の底面２ｎとの距離、つまり、手挿入部深さ２ｉ（図２参照）は、手が手挿入部２の底面２ｎに触れ難いように２００ｍｍ以上となっている。仮に、手挿入部深さ２ｉが２００ｍｍより小さいと、手が手挿入部２に挿入された際に底面２ｎに手が触れてしまい水洗いした手が不衛生となってしまう傾向にある。
【００２２】
手挿入部２では、主として、上面開口２ｃ１（図２参照）から内壁面２ｂと内壁面２ａとの間に手が挿入される。なお、手を手挿入部２に上方より近づけるときに、手の水滴が滴り直接ノズル７ａとノズル７ｂとに当たりノズル７ａとノズル７ｂとの内部に侵入しないように、手挿入部２の上面開口２ｃ１（図２参照）の幅は、ノズル間距離２ｈ（図２参照）よりも狭くなっている。
【００２３】
手挿入部２の底面２ｎには、排水口４が形成されており、この排水口４には排水管５が接続され、この排水管５は本体箱体１の下部に配設されたドレン容器１０まで延びている。なお、手から排除された水滴および水のことをドレンという。手挿入部２の対向面である内壁面２ａ、２ｂには、シリコン系もしくはフッ素系等の撥水性コーティング、または酸化チタン等の親水性があるコーティングがなされ、さらにこれらコーティングには抗菌材が含浸されており、内壁面２ａ、２ｂの汚れ付着を低減させると共に菌の繁殖を低減させるようにしてある。
【００２４】
送風機３は、本体箱体１の内側における手挿入部２の下方に内蔵されている。送風機３は、吸気ダクト９を介して吸い込んだ空気から例えば高圧空気流（高速空気流）を発生させ、高圧空気流（高速空気流）を排気ダクト１５ａ、１５ｂ経由でノズル７ａ、７ｂへそれぞれ供給する。吸気ダクト９は、本体箱体１のほぼ中央部に設けられた送風機３から蛇行するようにして下方に延び、ドレン容器１０の背後をとおって大気中に開口している。そして、吸気口９ａにはエアフィルタ２０が取り付けられている。送風機３の上部には排気口１４が設けられ、排気ダクト１５ａ、１５ｂに連通して、ノズル７ａ、７ｂから高圧空気流（高速空気流）を噴出するようになっている。
【００２５】
ノズル７ａ、７ｂは、それぞれ、送風機３により供給された高圧空気流（高速空気流）を噴出する。ノズル７ａ、７ｂは、それぞれ、手挿入部２の上面開口２ｃ１（図２参照）近傍の内壁面２ａ、２ｂに設けられている。すなわち、ノズル７ｂは、内壁面２ｂに配され、内壁面２ａに向かって高圧空気流（高速空気流）を噴出させる。ノズル７ａは、内壁面２ａに配され、内壁面２ｂに向かって高圧空気流（高速空気流）を噴出させる。これにより、ノズル７ａ、７ｂは、手挿入部２内に手が挿入された際に、手の平側と手の甲側との双方に風を当て、手挿入部２内に挿入した手を擦り合わせることなく、手に付着した水滴を手の表裏から排除できるようになっている。
【００２６】
手検知センサ８は、発光素子８ａ及び受光素子８ｂを有する。手検知センサ８は、例えば、透過式センサであり、発光素子８ａが内壁面２ａの側に配され受光素子８ｂが内壁面２ｂの側に配されている。発光素子８ａから照射された赤外線が手挿入部２内の検知位置２ｄを通過し受光素子８ｂで受光されるように、受光素子８ｂが内壁面２ｂの側に配されるとともに、発光素子８ａが内壁面２ａの側に配されている。これにより、手検知センサ８は、受光素子８ｂによる受光量に応じて、手挿入部２内の検知位置２ｄへの手の挿入を検知する。
【００２７】
手検知センサ１１は、発光素子１１ａ及び受光素子１１ｂを有する。手検知センサ１１は、例えば、反射式センサであり、発光素子１１ａ及び受光素子１１ｂがいずれも内壁面２ｂの側に配されている。発光素子１１ａから照射された赤外線が手挿入部２内の検知位置２ｅを通過し内壁面２ａで反射して受光素子１１ｂに戻って受光されるように、発光素子１１ａ及び受光素子１１ｂがともに内壁面２ｂの側に配されている。このとき、手検知センサ１１による検知位置２ｅは手検知センサ８による検知位置２ｄより手挿入部２の上面開口２ｃ１（図２参照）に近い。これにより、手検知センサ１１は、受光素子１１ｂによる受光量に応じて、手挿入部２内における手検知センサ８による検知位置２ｄよりも上面開口２ｃ１に近い検知位置２ｅへの手の挿入を検知する。
【００２８】
制御部３０は、図１において概念的に示されているが、例えば本体箱体１の内側に内蔵されていてもよいし、本体箱体１の外側に配されていても良い。制御部３０は、手挿入部２内の検知位置２ｄへの手の挿入が検知されたか否かを示す信号を手検知センサ８の受光素子８ｂから受ける。制御部３０は、手挿入部２内の検知位置２ｅへの手の挿入が検知されたか否かを示す信号を手検知センサ１１の受光素子１１ｂから受ける。制御部３０は、手検知センサ８及び手検知センサ１１に応じて送風機３の制御を行なう。
【００２９】
例えば、制御部３０は、手検知センサ８と手検知センサ１１とがともに手の挿入を検知したときに送風機３を動作させ、手検知センサ８と手検知センサ１１とがともに手の挿入を検知しなくなった場合に送風機３を停止させる。これにより、手挿入部２内の検知位置２ｄまで手が深く挿入された場合にノズル７ａ、７ｂから高圧空気流（高速空気流）が噴出され、手挿入部２内の検知位置２ｅまで手が抜かれた場合にノズル７ａ、７ｂからの高圧空気流（高速空気流）を停止させる。
【００３０】
次に、手乾燥装置１００の動作について図１を用いて説明する。
【００３１】
手を奥まで挿入する、すなわち手を検知位置２ｄまで入れると、手挿入部２に設けられた手検知センサ８（透過式センサ）の発光素子８ａから照射された赤外線は手に遮られて受光素子８ｂで検知しにくくなる。これにより、受光素子８ｂの受光量が減るので、制御部３０は、手が十分奥まで挿入されたと判断する。これに応じて、制御部３０は、送風機３を作動させる。送風機３が作動すると、エアフィルタ２０を通って吸気口９ａから空気が流入し、吸気ダクト９を通って、送風機３に送られ送風機３で高圧化される。
【００３２】
送風機３を通過した空気は高圧空気流（高速空気流）となり、排気口１４から排気ダクト１５ａ、１５ｂを通り、ノズル７ａ、７ｂから手挿入部２内に噴出される。ノズル７ａ、７ｂから噴出された高圧空気流（高速空気流）は、手挿入部２内に挿入された手に当たり、手の表面に付着していた水を水滴として吹飛ばし始める。
【００３３】
その後、手を手挿入部２から完全に抜くと、手検知センサ１１（反射式センサ）がこれを検知し、送風機３が停止する。濡れた手から剥離した水滴は手挿入部２の内壁面２ａ、２ｂに当たりその内壁面２ａ、２ｂを伝わって流れ、手挿入部２の底面２ｎに設けられた排水口４及び排水管５を通って、ドレン容器１０に回収される。
【００３４】
実施の形態では、水滴飛散が発生しにくい手乾燥装置を得るため、ノズルから噴出される高圧空気流（高速空気流）の最高空気出力は５００Ｗとなっている。すなわち、ノズル７ａ、７ｂのそれぞれから噴出される空気流の最大出力は、５００Ｗ以下である。仮に、ノズル７ａ、７ｂのそれぞれから噴出される空気流の最大出力が５００Ｗ以上であると、水滴が手挿入部２の外に飛散する傾向にある。
【００３５】
具体的には、ノズル７ａとノズル７ｂとは、複数の開口で構成されるスリット状ノズルである、すなわち、それぞれスリットを有する。スリットのギャップ７ａｇ、７ｂｇ（図３参照）は、それぞれ、空気流の最大出力を５００Ｗ以下とするためには、０．３ｍｍ以上４ｍｍ以下であることが好ましい。
【００３６】
例えば、ノズル７ａのギャップ７ａｇは、１．５ｍｍ〜２．０ｍｍであり、ノズル７ｂのギャップ７ｂｇは１．３ｍｍ〜１．８ｍｍであることがさらに好ましい。このとき、ノズル７ａとノズル７ｂとの開口面積の合計を９００ｍｍ２にすると、ノズル７ａとノズル７ｂの出口静圧は、例えば略５．７ｋＰａとなる。空気密度を１．２ｋｇ／ｍ３とすると、ノズル７ａとノズル７ｂとの出口風速は、ベルヌーイの定理により９７．５ｍ／ｓとなり、流量は０．０８７７ｍ３／ｓとなる。以上により、ノズルから噴出される高圧空気流（高速空気流）の空気出力は、ノズル出口静圧５．７ｋＰａと流量０．０８７７ｍ３／ｓとの積となるから略５００Ｗとなる。
【００３７】
なお、ノズル７ａとノズル７ｂとは、例えば、複数の穴で構成される丸穴ノズルであってもよい。すなわち、ノズル７ａとノズル７ｂとのそれぞれは、複数の穴を有していても良い。各穴の直径は、空気流の最大出力を５００Ｗ以下とするためには、φ１ｍｍ以上φ５ｍｍ以下であることが好ましい。
【００３８】
また、水滴の手への再付着が発生しにくい手乾燥装置を得るため、手挿入部２の開口面積（≒開口２ｃの面積）は５５０００ｍｍ２以上となっている。仮に、手挿入部２の開口面積（≒開口２ｃの面積）が５５０００ｍｍ２より小さいと、手に付着した水滴を吹き飛ばした後にその水滴が手に再付着する傾向にある。
【００３９】
手挿入部２の開口面積とは、ノズル７ａとノズル７ｂによって定まる手挿入部２のノズル間面２ｆ（図２参照）の面積と、手挿入部２の側面に開放している面で手挿入部２のノズル間面２ｆ（図２参照）により閉じられる手挿入部２の側面開口面２ｇ（図２参照）の面積の２倍との合計を意味する。すなわち、手挿入部２の開口２ｃのうち、上面開口２ｃ１の面積を近似的にノズル間面２ｆの面積で表すとともに、両側面の側面開口２ｃ２の面積を両側面の側面開口面２ｇの面積で表す。
【００４０】
ノズル７ａとノズル７ｂとで定まるノズル間面２ｆ（図２参照）について補足すると、ノズル７ａとノズル７ｂとが同一長さを持つ直線状のスリットノズルの場合、つまり、図１の紙面奥行き方向に真っすぐ伸びるスリット状ノズルでその長さがノズル７ａとノズル７ｂとで略同じ場合、ノズル７ａとノズル７ｂとで定まるノズル間面２ｆ（図２参照）は、ノズル７ａとノズル７ｂとを結ぶ直線、つまり、ノズル間距離２ｈ（図２参照）と各ノズル７ａ、７ｂの長さとよって構成される略長方形状の平面となる。ノズル７ａとノズル７ｂとの長さが異なれば、略台形状の平面となる。しかし、ノズル７ａ及びノズル７ｂを結ぶ直線と水平線との角度が図１の紙面奥行き方向に変化する場合は、ノズル７ａとノズル７ｂとで定まるノズル間面２ｆ（図２参照）は平面でなくなる場合もある。また、ノズルが複数の開口又は複数の穴から構成される場合、複数の開口又は複数の穴のうち手挿入部２の最も両側面側に配置された２つの開口又は２つの穴をそれぞれつなぐ仮想線をノズル７ａとノズル７ｂと考え、それらによって定まる面を手挿入部２のノズル間面２ｆ（図２参照）とする。
【００４１】
ノズル（ノズル７ａ又はノズル７ｂ）から噴出される高圧空気流（高速空気流）の最高空気出力が５００Ｗ以下であると水滴飛散が発生しにくい根拠と、手挿入部２の開口面積（≒開口２ｃの面積）が５５０００ｍｍ２以上であると水滴の手への再付着が発生しにくい根拠とについて、それぞれ、図４及び図５を用いて説明する。
【００４２】
図４は、ノズルから噴出される高圧空気流（高速空気流）の空気出力を変化させた場合の水滴飛散距離を測定した実験結果をプロットしたグラフである。なお、図４のグラフを作成するための実験では、手挿入部２の開口面積による影響を排除する為に、ノズル間距離２ｈは７０ｍｍ〜９０ｍｍのままとして、手挿入部２の開口面積、つまり、ノズル間面２ｆ（図２参照）の面積と両側面の側面開口面２ｇ（図２参照）の面積との合計を十分に大きく（例えば７００００ｍｍ２に）取っている。また、ここで水滴飛散とは、飛散した水滴が床面に落下した場合につくる水滴痕を含む最小円の直径が２ｍｍ以上のものとする。
【００４３】
図４に示す実験結果から明らかなように、ノズルから噴出される高圧空気流（高速空気流）の最高空気出力が５００Ｗ以下であれば、水滴飛散距離は１０ｃｍ以下となり手挿入部２で十分捕集可能なため無視できるが、５００Ｗを超えると急激に水滴飛散距離が伸びる。これは、ノズルから噴出される高圧空気流（高速空気流）の空気出力が５００Ｗ程度になると、ノズルの出口風速が殆ど減衰することなく手表面まで到達し、５００Ｗを超えると、その超えた分の一部のエネルギーが手の水滴を下方だけでなく上方や横方向にも吹飛ばすためであると考えられる。つまり、ノズルから噴出される高圧空気流（高速空気流）の空気出力が５００Ｗ程度までは、空気出力は手の水滴を下方に吹飛ばす能力（乾燥能力）に比例するが、５００Ｗを超えると、水滴を下方に吹飛ばす能力は増加するものの、その増加率は低下して、一方で水滴飛散が増えることになる。よって、水滴飛散が発生しにくい手乾燥装置を得るためには、ノズルから噴出される高圧空気流（高速空気流）の最高空気出力が５００Ｗ以下であることが最も適切である。
【００４４】
図５は、ノズルから噴出される高圧空気流（高速空気流）の空気出力を５００Ｗとし、手挿入部２の開口面積、つまり、ノズル間面２ｆ（図２参照）と両側面の側面開口面２ｇ（図２参照）の面積との合計を変化させた場合、手から吹飛んで手挿入部２の内壁面２ａ、２ｂや底面２ｎに付着した水滴を巻き上げて手に再付着するかの実験結果を示している。
【００４５】
図５に示す実験結果から明らかなように、手挿入部２の開口面積が５５０００ｍｍ２以上であれば、再付着の可能性は低い。これは、手挿入部２の開口面積が５５０００ｍｍ２より小さいと、ノズル７ａとノズル７ｂとから噴出した高圧空気流（高速空気流）がスムースに開口２ｃ（すなわち、ノズル間面２ｆ（図２参照）と両側面の側面開口面２ｇ（図２参照））から外に排出され難くなり、手挿入部２内で局所的に風速３０ｍ／ｓ以上の乱流が生ずるためだと考えられる。より詳細には、手挿入部２の内壁面２ａと内壁面２ｂとの上に付着した水滴は、風速２０ｍ／ｓ以上の壁面流により動きはじめ、風速３０ｍ／ｓ以上になると、手挿入部２の内壁面２ａと内壁面２ｂとから浮き上がる場合があり、手が手挿入部２に深く挿入され、手挿入部２の底面２ｎに近い場合、手挿入部２の内壁面２ａと内壁面２ｂとから浮き上がった水滴が手に再付着する可能性が高まるためだと考えられる。
【００４６】
以上のように、実施の形態では、ノズルから噴出される高圧空気流（高速空気流）の最大空気出力が５００Ｗ以下であるので、手を手挿入部２に挿入した際に、水滴が手挿入部２の外に飛散しにくい。また、手挿入部２の開口２ｃの面積が５５０００ｍｍ２以上であるので、手を手挿入部２に挿入した際に、手に付着した水滴を吹き飛ばした後にその水滴が手に再付着しにくい。これにより、水滴が手挿入部の外に飛散することを低減できるとともに、水滴が手に再付着することを低減できる。
【産業上の利用可能性】
【００４７】
以上のように、本発明にかかる手乾燥装置は、オフィスビル、ホテル、ファミリーレストラン、アミューズメント施設、総合スーパーマーケット、食品・医薬品・化粧品・その他一般の工場、学校、公共施設等の不特定多数の人間が使用する可能性のあるトイレ及び手洗い場に設置される手乾燥装置に有用である。
【符号の説明】
【００４８】
１  本体箱体
２  手挿入部
２ａ  内壁面
２ｂ  内壁面
２ｃ  開口
２ｄ  検知位置
２ｅ  検知位置
２ｆ  ノズル間面
２ｇ  側面開放面
２ｈ  ノズル間距離
２ｉ  手挿入部深さ
２ｊ  手挿入部内最大幅
２ｋ  側壁
３  送風機
４  排水口
５  排水管
７ａ  ノズル
７ａｇ  ギャップ
７ｂ  ノズル
７ｂｇ  ギャップ
８  手検知センサ
８ａ  発光素子
８ｂ  受光素子
９  吸気ダクト
９ａ  吸気口
１０  ドレン容器
１１  手検知センサ
１１ａ  発光素子
１１ｂ  受光素子
１４  排気口
１５ａ、１５ｂ  排気ダクト
２０  エアフィルタ
３０  制御部
１００  手乾燥装置
１００ａ  前面
１００ｂ  背面
１００ｃ  底面
【図１】
2012035604.tif 000003
【図２】
2012035604.tif 000004
【図３】
2012035604.tif 000005
【図４】
2012035604.tif 000006
【図５】
2012035604.tif 000007
【手続補正書】
【提出日】平成24年9月26日(2012.9.26)
【手続補正１】
【補正対象書類名】特許請求の範囲
【補正対象項目名】全文
【補正方法】変更
【補正の内容】
【特許請求の範囲】
【請求項１】
外郭をなす箱体と、
前記箱体の上面に形成された上面開口と、第１の内壁面と、前記第１の内壁面に対向する第２の内壁面と、前記箱体の上面の反対側において前記第１の内壁面と前記第２の内壁面とを接続する底面とを有し、前記上面開口から前記第１の内壁面と前記第２の内壁面との間に手が挿入される手挿入部と、
前記第１の内壁面に配され、前記第２の内壁面に向かって空気流を噴出させる第１のノズルと、
前記第２の内壁面に配され、前記第１の内壁面に向かって空気流を噴出させる第２のノズルと、
前記第１のノズル及び前記第２のノズルのそれぞれに空気流を供給する空気流発生部と、
を備え、
前記第１の内壁面は、
前記上面開口から前記底面に近づくにつれて前記箱体の背面に近くなるように直線的に傾斜して延びた第１の上部内壁面と、
前記第１の上部内壁面の下端から前記箱体の背面に沿って前記底面まで延びた第１の下部内壁面と、
を有し、
前記第２の内壁面は、
前記上面開口から前記底面に近づくにつれて前記箱体の前面に近くなるように直線的に傾斜して延びた第２の上部内壁面と、
前記第２の上部内壁面の下端から前記箱体の前面に沿って前記底面まで延びた第２の下部内壁面と、
を有し、
前記第１のノズルは、前記第１の上部内壁面における上端と下端との間に配され、
前記第２のノズルは、前記第２の上部内壁面における上端と下端との間に配され、
前記箱体の前面に交差する方向における前記上面開口の幅は、前記箱体の前面に交差する方向における前記第１のノズルと前記第２のノズルとの距離より狭い
ことを特徴とする手乾燥装置。
【請求項２】
前記第１の下部内壁面は、前記箱体の背面に沿って直線的に延びており、
前記第２の下部内壁面は、前記箱体の前面に沿って直線的に延びている
ことを特徴とする請求項１に記載の手乾燥装置。
【請求項３】
前記第１のノズルは、前記第１の上部内壁面における上端と下端との間において、前記下端より前記上端に近い位置に配されており、
前記第２のノズルは、前記第２の上部内壁面における上端と下端との間において、前記下端より前記上端に近い位置に配されている
ことを特徴とする請求項１又は２に記載の手乾燥装置。
【請求項４】
前記第１のノズルの中心軸の延長線は、前記第２のノズルと前記第２の上部内壁面の下端との間の位置で前記第２の上部内壁面に交差し、
前記第２のノズルの中心軸の延長線は、前記第１のノズルと前記第１の上部内壁面の下端との間の位置で前記第１の上部内壁面に交差する
ことを特徴とする請求項１から３のいずれか１項に記載の手乾燥装置。
【請求項５】
前記第１の上部内壁面及び前記第２の上部内壁面には、それぞれ、撥水性コーティングがなされている
ことを特徴とする請求項１から４のいずれか１項に記載の手乾燥装置。
【請求項６】
前記手挿入部は、
前記上面開口の両側端から前記底面へ向かってそれぞれ延びた２つの側面開口と、
前記第１の下部内壁面、前記第２の下部内壁面、及び前記底面のそれぞれの両側端から前記２つの側面開口へ向かうように立ち上がった２つの側壁と、
をさらに有する
ことを特徴とする請求項１から５のいずれか１項に記載の手乾燥装置。
【国際調査報告】
2012035604.tif 000008
2012035604.tif 000009
2012035604.tif 000010
2012035604.tif 000011